(57)【要約】【課題】  タグを切り離してもその部分が開口せず、必要な時にのみ容易に切り離すことができるタグを一体的に備える包装用箱及びそのブランクシートの提供。【解決手段】  筒状に連結した四側面並びに当該四側面に囲まれた開口部を封じる天部Ａ及び底部Ｂと、前記四側面の一方の端に位置する端側面の裏側に重なる裏支持片５と、当該裏支持片５から連続し前記端側面に隣接する側面の裏側に接着する接合片６を備え、前記端側面及び当該端側面に対向する内側面に前記天部Ａ又は底部Ｂを構成するフラップを各々延設し、前記端側面に、当該端側面とそのフラップとの境界線を始端とするタグ部Ｔを備え、前記タグ部Ｔの周囲に切込Ｓを備え、前記裏支持片５は、前記端側面の前記始端側の端縁から延出する前記フラップの裏側に前記タグ部Ｔの全幅にわたって重なる副フラップ１４を備えることを特徴とする包装用箱とそのブランクシート。【選択図】      図１
2016020220.tif 000002
【特許請求の範囲】
【請求項１】
一枚のブランクシートを直方体状に成形してなる包装用箱であって、
筒状に連結した四側面並びに当該四側面に囲まれた開口部を封じる天部及び底部と、
前記四側面の一方の端に位置する端側面の裏側に重なる裏支持片と、
当該裏支持片から連続し前記端側面に隣接する側面の裏側に接着する接合片を備え、
前記端側面及び当該端側面に対向する内側面に前記天部又は底部を構成するフラップを各々延設し、
前記端側面に、当該端側面とそのフラップとの境界線を始端とするタグ部を備え、
前記タグ部の周囲に切込を備え、
前記裏支持片は、その前記始端側の端縁から延出し前記端側面の前記始端側の端縁から延出する前記フラップの裏側に前記タグ部の全幅にわたって重なる副フラップを備えることを特徴とする包装用箱。
【請求項２】
一列に連結した四側面並びに当該四側面で形成される方形状の開口部を封じる天部及び底部と、
前記四側面の一方の端に位置する端側面の裏側に重なる裏支持片と、
当該裏支持片から連続し前記端側面に隣接する側面の裏側に接着する接合片を備え、
前記端側面及び当該端側面に対向する内側面に前記天部又は底部を構成するフラップを各々延設し、
前記端側面に、当該端側面とそのフラップとの境界線を始端とするタグ部を備え、
前記タグ部の周囲に切込を備え、
前記裏支持片は、その前記始端側の端縁から延出し前記端側面の前記始端側の端縁から延出する前記フラップの裏側に前記タグ部の全幅にわたって重なる副フラップを備えることを特徴とする包装用箱のブランクシート。
【発明の詳細な説明】
【技術分野】
【０００１】
本発明は、商品に関する情報を記すタグを一体的に備える包装用箱及びそのブランクシートに関する。
【背景技術】
【０００２】
医薬品などを内包する包装用箱の分野では、内容物を包装用箱から取り出し、例えば、ＰＴＰ（Press Through Package）シートの状態で調剤棚に保管する場合に、当該ＰＴＰシートを包装箱に印刷された情報と結びつけるため、包装箱の特定の部分をタグとして切り取り、当該ＰＴＰシートに添付し又は調剤棚所定の保管位置に貼り付けるなどすることが行われている。
従来、この様な作業の便宜として、内容物に関する情報を記したタグを一体的に含み且つ当該タグを取り外し容易とする構成を持つ包装用箱が、下記特許文献をはじめとして種々提供されている。
【先行技術文献】
【特許文献】
【０００３】
【特許文献１】実用新案公報第３１８４６０４号公報
【特許文献２】実用新案公報第３１７２０９９号公報
【発明の概要】
【発明が解決しようとする課題】
【０００４】
しかしながら、前記特許文献１に記載の技術は、タグを切り離すと、その領域が開放してしまい内部が露出すると言う問題がある。
一方、前記特許文献２に記載の技術は、内部が露出することはないものの、二重構造の内側片に開封部のフラップを設け、外側片の一部又は全部が切除されるように内容物情報の周囲に切除部を設ける構成を採用したことによって、運搬時や梱包時において前記内容物情報が剥離し易く、取扱いに注意が必要であるという問題がある。
【０００５】
本発明は、上記実情に鑑みて為されたものであって、タグを切り離してもその部分が開口せず、必要な時にのみ容易に切り離すことができるタグを一体的に備える包装用箱及びそのブランクシートの提供を目的とする。
【課題を解決するための手段】
【０００６】
上記課題を解決すべく為された本発明による包装用箱は、一枚のブランクシートを直方体状に成形してなる包装用箱であって、筒状に連結した四側面並びに当該四側面に囲まれた開口部を封じる天部及び底部と、前記四側面の一方の端に位置する端側面の裏側に重なる裏支持片と、当該裏支持片から連続し前記端側面に隣接する側面の裏側に接着する接合片を備え、前記端側面及び当該端側面に対向する内側面に前記天部又は底部を構成するフラップを各々延設し、前記端側面に、当該端側面とそのフラップとの境界線を始端とするタグ部を備え、前記タグ部の周囲に切込を備え、前記裏支持片は、その前記始端側の端縁から延出し前記端側面の前記始端側の端縁から延出する前記フラップの裏側に前記タグ部の全幅にわたって重なる副フラップを備えることを特徴とする。
【０００７】
上記課題を解決すべく為された本発明による包装用箱のブランクシートは、一列に連結した四側面並びに当該四側面で形成される方形状の開口部を封じる天部及び底部と、前記四側面の一方の端に位置する端側面の裏側に重なる裏支持片と、当該裏支持片から連続し前記端側面に隣接する側面の裏側に接着する接合片を備え、前記端側面及び当該端側面に対向する内側面に前記天部又は底部を構成するフラップを各々延設し、前記端側面に、当該端側面とそのフラップとの境界線を始端とするタグ部を備え、前記タグ部の周囲に切込を備え、前記裏支持片は、その前記始端側の端縁から延出し前記端側面の前記始端側の端縁から延出する前記フラップの裏側に前記タグ部の全幅にわたって重なる副フラップを備えることを特徴とする。
【０００８】
尚、前記タグ部の終端は、前記端側面の中間部に設ける。特に、当該タグ部が当該端側面の両端に亘る場合には、双方からの引き剥がしを考慮するものであることから、当該タグ部の両端を始端と位置付ける。
【発明の効果】
【０００９】
本発明による包装用箱及びそのブランクシートによれば、タグ部を切り離したとしても、その領域が開放してしまうことがなく、内容物を露出することなく収容し続けることができる。
【００１０】
また、本発明による包装用箱は、二層部分の外側に位置する端側面にフラップとタグ部の双方を備えているので、二層部分の内側に位置する面にフラップを設けその外側にタグ部を設けた構造の様に天部又は底部の側方へタグ部の端部が迫り出すこともなく、仮に、当該端側面の端から端に至る長さのタグ部を設けたとしても、運搬時や梱包時において前記タグ部が剥離する事態を防止することができる。
【００１１】
前記タグ部を切り離した後にあっても、前記フラップの裏側に前記タグ部の幅以上の幅で重なる副フラップを備えることで、前記フラップの下から内容物に悪戯を施されることを防止することができ、当該端側面に隣接する側面に前記接合片を接着する構造を採ったことで、仮に前記端側面の略全域に亘る前記タグ部を切り離したとしても、包装用箱としての形態と強度を保つことができる。
【図面の簡単な説明】
【００１２】
【図１】本発明による包装用箱の機能の一例を示す斜視図である。
【図２】本発明による包装用箱の機能の一例を示す斜視図である。
【図３】本発明による包装用箱の機能の一例を示す斜視図である。
【図４】本発明による包装用箱の一例を示す（Ａ）：正面図及び（Ｂ）：背面図である。
【図５】本発明による包装用箱の一例を示す（Ａ）：左側面図及び（Ｂ）：右側面図である。
【図６】本発明による包装用箱の一例を示す（Ａ）：平面図及び（Ｂ）：底面図である。
【図７】本発明による包装用箱から離脱したタグ部の一例を示す正面図である。
【図８】本発明による包装用箱のブランクシートの一例を示す（Ａ）：右側面図、（Ｂ）：平面図、（Ｃ）：正面図（背面図）、（Ｄ）：底面図（Ｅ）：及び左側面図である。
【発明を実施するための形態】
【００１３】
以下、本発明による包装用箱の実施の形態を、そのブランクシートの実施の形態と共に詳細に説明する。
本発明による包装用箱は、一枚のブランクシートを直方体状に組み立てそのいずれかの面に開封部を設けてなる包装用箱である。
【００１４】
当該包装用箱は、筒状に連結した方形状の四側面並びに当該四側面に囲まれた開口部を封じる天部Ａ及び底部Ｂを備える。
当該包装用箱は、前記四側面の一方の端（以下「連続端」と記す）に連続して、他方の端に位置する端側面１の裏側に重なる裏支持片５を備える。
当該包装用箱は、更に、前記裏支持片５に連続して、前記端側面１に隣接する側面（以下「接合側面２」と記す）の裏側に接着する接合片６を備える。
【００１５】
当該包装用箱は、前記端側面１及び当該端側面１に対向する内側面３に、前記天部Ａ又は底部Ｂを構成するフラップを延設し、前記端側面１に、当該端側面１とそのフラップとの境界線を始端とするタグ部Ｔを備え、前記タグ部Ｔの周囲に切込Ｓを備える。
前記裏支持片５は、その前記始端側の端縁から延出し前記端側面１の前記始端側（二つ有る場合には双方）の端縁から延出する前記フラップの裏側に前記タグ部Ｔの全幅にわたって重なる副フラップ１４を備える。
【００１６】
前記天部Ａ及び前記底部Ｂは、例えば、前記端側面１及び当該端側面１に対向する内側面３の端縁から延出するフラップと、それらを除く他の側面２，４のいずれか一方又は双方の端縁から延出する蓋片１５とで構成される。
前記底部Ｂは、前記四側面の下縁からそれぞれ延出する封止片を組み合わせて構成しても良い。
【００１７】
上記包装用箱に組み上がるブランクシートは、一列に連結した四側面並びに当該四側面で形成される方形状の開口部を封じる天部Ａ及び底部Ｂと、前記端側面１の裏側に重なる裏支持片５と、当該裏支持片５から連続し、前記接合側面２の裏側に接着する接合片６を備え、前記端側面１及び前記内側面３に前記天部Ａ又は前記底部Ｂを構成するフラップを各々延設し、前記端側面１に、当該端側面１とそのフラップとの境界線を始端とするタグ部Ｔを備え、前記タグ部Ｔの周囲に切込を備え、前記裏支持片５は、その前記始端側の端縁から延出し前記端側面１の前記始端側の端縁から延出する前記フラップの裏側に前記タグ部Ｔの全幅にわたって重なる副フラップ１４を備える。
【実施例】
【００１８】
[ブランクシート]
図８に示すブランクシートは、左側面（端側面）１、前側面（接合側面）２、右側面（内側面）３、後側面４、前記裏支持片５及び前記接合片６を一列に連結して備える。
当該例では、前記後側面４と前記前側面２及び前記左側面１と前記右側面３は、大きさと形が略等しい方形状である。
【００１９】
この例の前記左側面１と前記右側面３は、前記四側面が形づくる開口部に向けて屈曲し開口部を封じる左右フラップ７，８，９，１０を、各々の上下端縁に沿って備える。
前記左側面１と前記右側面３の上縁又は下縁から延出する各フラップ７，８，９，１０は、各々台形状であり、各フラップ７，８，９，１０の長さは、前記後側面４及び前記前側面２の幅に対して、各々略半分未満とする。
前記左側面１は、その中央部に、当該左側面１の上縁から当該左側面１の下部に至る長方形状のタグ部Ｔを備え、前記タグ部Ｔの周囲に分断可能な切込Ｓを備える。
【００２０】
前記タグ部Ｔを囲む切込Ｓは、二列の間欠切込を互い違いに並設してなる複切込と、一列の間欠切込からなる単切込とで構成される。
前記複切込は、切込長：間欠長が２：３から３：２のミシン目を、半周期位相がずれた状態で二列並走させることで、波長が１．５ｍｍから３．０ｍｍの方形波状を呈する切込Ｓとして形作ったものである。
前記複切込は、ミシン目一つひとつが細く短いにも関わらず、良好な破断を行うことができ、且つ凹凸が少なく破断前の手触りが滑らかなので、それと接する他の物との干渉にあっても、引っ掛かりが少ない点で有利である。
前記二列の間隔を、当該ブランクシートの紙厚に略等しく設定することによって（例えば、紙厚に対して０．５ｍｍ程度増減した幅など。）、輸送時や積上げ時に破断が生じ難く、破断時にあっては、容易に且つ見た目良く破断できることとなる。
【００２１】
この例の前記切込Ｓは、前記左側面１と前記フラップ７との境界線の中央部に沿う直線的な前記単切込（始端切込）ｓ１と、その両端から真下へ約５ｍｍにわたって走る単切込（導切込）ｓ２，ｓ２を一連に切り込み、前記導切込ｓ２，ｓ２に続いて当該左側面１の下端から上位約２０ｍｍの位置まで、直線的な前記複切込（破断切込）ｍ，ｍを平行に切り込む。
更に、前記破断切込ｍ，ｍに続いて真下へ約１０ｍｍにわたって走る単切込（送り切込）ｓ３，ｓ３とその下端を結ぶ直線的な前記単切込（終端切込）ｓ４を一連に切り込むことで長方形状に連なる切込Ｓとなる。
更に、前記タグ部Ｔを分割可能としたい場合には、その長手方向の中間部に、分断可能な副切込ｓ５を適宜設ければよい。
【００２２】
前記前側面２は、その上端部の中央部を分断する開封破断線ｐを備えると共に、その下端縁に沿って前記底部Ｂを構成する前記封止片１１を備える。
前記開封破断線ｐは、前記前側面２の上縁中央部から当該前側面２の中央に向けて指先サイズの逆台形状に切り込まれたミシン目であり、当該開封破断線ｐに囲まれたエリアに貫入部を形成する。
【００２３】
前記後側面４は、その上端縁に前記天部Ａを構成する前記蓋片１５を当該包装用箱の開封部として備え、下端縁に沿って前記底部Ｂを構成する前記封止片１２を備える。
前記蓋片１５は、前記四側面で形作られる開口部と同形状の方形状に裁断され、当該開口部の前記前側面２に沿って差し入れる差込片１３を、当該蓋片１５の先端縁に沿って備える。前記差込片１３は、前記開口部への差し入れを容易にすべく、先端部に向かう滑らかな先細りに成形することが望ましい。
【００２４】
前記封止片１１，１２は、上記のごとく前記前側面２及び前記後側面４の下端縁から延出する。
当該例では、前記前側面２及び前記後側面４から延出した封止片１１，１２は、いずれも僅かに先窄まりとなった方形状に裁断されている。前記後側面４の下端縁からその封止片１２の端縁に至る長さは、前記左側面１及び前記右側面３の奥行き（全幅）の半分に相当する長さに設定し、前記前側面２の下端縁からその封止片１１の端縁に至る長さは、それよりも十分長く且つ前記左側面１及び前記右側面３の奥行き（全幅）未満とする。
【００２５】
この例の前記裏支持片５は、相重なる前記左側面１よりも寸法の小さい方形状に裁断されている。尚、前記裏支持片５と相重なる前記左側面１とのサイズ差はできる限り少ないことが望ましい。
当該裏支持片５は、その前記始端側の端縁から延出し当該裏支持片５が重なる前記左側面１の上縁から延出した前記フラップ７の裏側に前記タグ部Ｔの全幅にわたって重なる副フラップ１４を備える。
【００２６】
前記接合片６は、前記裏支持片５の側端から台形状に延出する形で設ける。
当該接合片６の最大幅は、保形性を高めるべく前記前側面２及び後側面４の全幅と等しくし、上端部は、前記貫入部へ突入する指先と抵触しない様に、前記開封破断線ｐの下縁と略等しい位置が上縁となるような切欠き部をとる。
開封されない前記開口部の近傍は、前記裏支持片５の連結強度維持に留意しつつ適宜切り欠いた形状としても良い（図８参照）。
【００２７】
[組み立て]
前記ブランクシートの組み立て（立体化）は、先ず、前記ブランクシートの前記左側面１、前記前側面２、前記右側面３、前記後側面４、前記裏支持片５及び前記接合片６を各々の境界において夫々同じ方向へ直角に折り曲げ、前記接合片６に糊を塗布し、前記前側面２と接着し、全体として筒状に成形する立体化行程を行う。尚、前記裏支持片５と前記左側面１とは、必ずしも接着する必要はない。
【００２８】
次に、前記左側面１及び前記右側面３の下端縁から延出する前記フラップ９，１０を下開口部に向けて略直角に折り、前記後側面４の下端縁から延出する前記封止片１２を、前記フラップ９，１０の上に向けて略直角に折重ね、前記前側面２の下端縁から延出する前記封止片１１を、前記フラップ９，１０及び先に折重ねた前記封止片１２の上に向けて略直角に折重ね、それらを糊付けで接着する下封鎖行程を行う。当該下封鎖行程によって、底部Ｂが完成する。
【００２９】
内容物の充填を経て、最後に、前記左側面１及び前記右側面３の上端縁から延出する前記フラップ７，８及び前記副フラップ１４を上開口部に向けて略直角に折り、前記後側面４の上端縁から延出する前記蓋片１５を前記フラップ７，８の上に向けて略直角に折り重ね、前記蓋片１５の端縁から延出する前記差込片１３を前記前側面２に沿って差し入れて糊付けする。
以上を以って、内容物が充填され封鎖された包装用箱が完成する。
前記タグ部Ｔの上位に存在する前記フラップ７が上開口部に向けて折曲げられることで、前記始端切込ｓ１に面する前記タグ部Ｔの端部が、平伏した前記フラップ７の表面から僅かに突出する（図１（Ｂ）又は図２（Ｂ）参照）。
【００３０】
[開封]
上記の如く封鎖された包装用箱は、前記前側面２の上端部に設けられた前記貫入部を指先で押し入れ、更に、引き上げることによって、前記前側面２の上位に設けた前記開封破断線ｐを破断し、当該蓋片１５が後方へ起立する状態で開封される（図３参照）。
【００３１】
[タグ部の切り離し]
前記包装用箱は、例えば、前記前側面２と前記後側面４を同時に加圧して、前記蓋片１５を僅かに浮き上がらせた上で（図１（Ｂ）参照）、平伏した前記フラップ７の表面から僅かに突出する前記タグ部Ｔの先端部に指先などを引っ掛けてその近傍を前記左側面１の表面から浮き上がらせ（図２（Ａ）参照）、浮き上がった部分を摘んで引き剥がすことによって、前記タグ部Ｔ周囲の切込Ｓが破断し、前記タグ部Ｔを容易に切り離すことができる（図２（Ｂ）参照）。
【００３２】
上記包装用箱は、最外層である前記左側面１に、前記蓋片１５を支える前記フラップ７と前記タグ部Ｔを一体化する構成により、平伏した前記フラップ７の表面から僅かに突出する前記タグ部Ｔの先端部が前記蓋片１５に充分カバーされ（図１（Ａ）参照）、運搬時や梱包時において、当該先端部に不要な力が加わることを防止する作用を奏する（手掛かり保護機能）。
また、最も外部から干渉を受け易い箇所に設ける切込Ｓとして、前記複切込を採用することで、その表面が滑らかとなり、前記干渉による想定外の破断を防止する効果を得つつ、必要に応じた破断が容易となり、破断後の切り口にあっても見栄えの良いものとなる（便宜機能）。
【００３３】
切り離された前記タグ部Ｔは、内容物情報を記した表示部Ｄが一見で目視できる短冊状のタグとなる（図７参照）。
本発明による包装用箱は、前記タグ部Ｔが存在した部分が欠け、前記裏支持片５が露出するものの、内容物の露出は回避できる（目隠し機能）。
また、前記裏支持片５の表面に離脱した部分と等しい図柄等の印刷をしておけば、離脱後の体裁も良好となる。
【００３４】
なお、この発明は上記実施例に限定されるものではなく、前記タグ部Ｔの形態又は前記四側面、前記天部Ａ若しくは前記底部Ｂの構成などを、前記手掛かり保護機能、前記便宜機能及び目隠し機能を損なわない限りにおいて適宜変更することが可能である。
包装用箱の材質は、紙やプラスチック等、自由に選択可能である。折曲げ線や切込の形状も、前記機能を損なわない限りにおいて適宜変更可能である。
【符号の説明】
【００３５】
Ａ  天部，Ｂ  底部，
Ｄ  表示部，Ｔ  タグ部，Ｓ  切込，
ｓ１  始端切込，ｓ２  導切込，ｓ３  送り切込，ｓ４  終端切込，ｓ５  副切込，
ｍ  破断切込，
ｐ  開封破断線，
１  左側面（端側面），２  前側面（接合側面），
３  右側面（内側面），４  後側面，
５  裏支持片，６  接合片，
７  フラップ（上左），８  フラップ（上右），
９  フラップ(下左)，１０  フラップ（下右），
１１  封止片（前），１２  封止片（後），１３  差込片，１４  副フラップ，
１５  蓋片，
【図１】
2016020220.tif 000003
【図２】
2016020220.tif 000004
【図３】
2016020220.tif 000005
【図４】
2016020220.tif 000006
【図５】
2016020220.tif 000007
【図６】
2016020220.tif 000008
【図７】
2016020220.tif 000009
【図８】
2016020220.tif 000010